【手続補正書】
【提出日】平成18年3月16日(2006.3.16)
【手続補正１】
【補正対象書類名】明細書
【補正対象項目名】特許請求の範囲
【補正方法】変更
【補正の内容】
【特許請求の範囲】
【請求項１】  
撮像素子により撮影した画像データを圧縮して記録媒体に記録する電子カメラにおいて、
バッテリー電圧を検出するバッテリー電圧検出手段と、
画像データの圧縮率に応じて前記バッテリーのチェックレベルを設定するチェックレベル設定手段と、
バッテリー電圧検出値をチェックレベル設定値と比較して撮影可否を判断する撮影可否判断手段とを備えることを特徴とする電子カメラ。
【請求項２】  
撮像素子により撮影した画像データを処理して各種サイズのファイルを生成し、記録媒体に記録する電子カメラにおいて、
バッテリー電圧を検出するバッテリー電圧検出手段と、
画像処理後のファイルサイズに応じて前記バッテリーのチェックレベルを設定するチェックレベル設定手段と、
バッテリー電圧検出値をチェックレベル設定値と比較して撮影可否を判断する撮影可否判断手段とを備えることを特徴とする電子カメラ。
【請求項３】  
撮像素子により撮影した画像データを記録媒体に記録する電子カメラにおいて、
連写モードの撮影枚数（以下、連写枚数）を設定する連写枚数設定手段と、
バッテリー電圧を検出するバッテリー電圧検出手段と、
連写枚数設定値に応じて前記バッテリーのチェックレベルを設定するチェックレベル設定手段と、
バッテリー電圧検出値をチェックレベル設定値と比較して撮影可否を判断する撮影可否判断手段とを備えることを特徴とする電子カメラ。
【請求項４】  
請求項３に記載の電子カメラは画像データを圧縮して記録媒体に記録する電子カメラであって、
前記チェックレベル設定手段は画像データの圧縮率を考慮して前記バッテリーのチェックレベルを設定することを特徴とする電子カメラ。
【請求項５】  
請求項３に記載の電子カメラは画像データを処理して各種サイズのファイルを生成し、記録媒体に記録する電子カメラであって、
前記チェックレベル設定手段は画像処理後のファイルサイズを考慮して前記バッテリーのチェックレベルを設定することを特徴とする電子カメラ。
【請求項６】  
撮像素子により撮影した画像データを記録媒体に記録する電子カメラにおいて、
バッテリー電圧を検出するバッテリー電圧検出手段と、
バッテリー電圧検出値に応じて連写可能枚数を決定する連写可能枚数決定手段と、
連写モードにおける連写枚数を連写可能枚数に制限する連写枚数制限手段とを備えることを特徴とする電子カメラ。
【請求項７】  
請求項６に記載の電子カメラは画像データを圧縮して記録媒体に記録する電子カメラであって、
前記連写可能枚数決定手段は画像データの圧縮率を考慮して連写可能枚数を決定することを特徴とする電子カメラ。
【請求項８】  
請求項６に記載の電子カメラは画像データを処理して各種サイズのファイルを生成し、記録媒体に記録する電子カメラであって、
前記連写可能枚数決定手段は画像処理後のファイルサイズを考慮して連写可能枚数を決定することを特徴とする電子カメラ。
【請求項９】  
撮像素子から画像データを取り込んで記憶素子に記憶し、前記記憶素子に記憶されている画像データを記録媒体に転送して記録する電子カメラにおいて、
バッテリー電圧を検出するバッテリー電圧検出手段と、
前記記憶素子に記憶されている画像データ量に応じて前記バッテリーのチェックレベルを設定するチェックレベル設定手段と、
前記記憶素子から前記記録媒体への画像データの転送完了前にレリーズされた場合に、バッテリー電圧検出値をチェックレベル設定値と比較して次駒の撮影可否を判断する撮影可否判断手段とを備えることを特徴とする電子カメラ。
【請求項１０】
被写体の像を撮影し画像データを出力する撮像素子と、
複数の撮影モードの中から撮影モードを選択する撮影モード選択手段と、
前記撮像素子から出力された前記画像データを記録媒体に記録する記録手段と、
バッテリー電圧を検出するバッテリー電圧検出手段と、
選択された前記撮影モードに応じて前記バッテリーのチェックレベルを設定するチェックレベル設定手段と、
前記バッテリー電圧検出手段により検出された前記バッテリー電圧と前記チェックレベル設定手段により設定された前記チェックレベルとを比較して撮影可否を判断する撮影可否判断手段とを備えることを特徴とする電子カメラ。
【手続補正２】
【補正対象書類名】明細書
【補正対象項目名】０００１
【補正方法】変更
【補正の内容】
【０００１】
【発明の属する技術分野】
本発明は電子カメラに関し、特に、速写および連写の信頼性を改善したものである。
【手続補正３】
【補正対象書類名】明細書
【補正対象項目名】０００５
【補正方法】変更
【補正の内容】
【０００５】
【課題を解決するための手段】
一実施の形態の構成を示す図１に対応づけて本発明を説明すると、
（１）  請求項１の発明は、撮像素子１により撮影した画像データを圧縮して記録媒体５に記録する電子カメラに適用され、バッテリー電圧を検出するバッテリー電圧検出手段１０，１１と、画像データの圧縮率に応じてバッテリー９のチェックレベルを設定するチェックレベル設定手段１１と、バッテリー電圧検出値をチェックレベル設定値と比較して撮影可否を判断する撮影可否判断手段１１とを備える。
（２）  請求項２の発明は、撮像素子１により撮影した画像データを処理して各種サイズのファイルを生成し、記録媒体５に記録する電子カメラに適用され、バッテリー電圧を検出するバッテリー電圧検出手段１０，１１と、画像処理後のファイルサイズに応じてバッテリー９のチェックレベルを設定するチェックレベル設定手段１１と、バッテリー電圧検出値をチェックレベル設定値と比較して撮影可否を判断する撮影可否判断手段１１とを備える。
（３）  請求項３の発明は、撮像素子１により撮影した画像データを記録媒体５に記録する電子カメラに適用され、連写モードの撮影枚数（以下、連写枚数）を設定する連写枚数設定手段１８，１９と、バッテリー電圧を検出するバッテリー電圧検出手段１０，１１と、連写枚数設定値に応じてバッテリー９のチェックレベルを設定するチェックレベル設定手段１１と、バッテリー電圧検出値をチェックレベル設定値と比較して撮影可否を判断する撮影可否判断手段１１とを備える。
（４）  請求項４の電子カメラは画像データを圧縮して記録媒体５に記録する電子カメラであって、チェックレベル設定手段１１は画像データの圧縮率を考慮してバッテリー９のチェックレベルを設定するようにしたものである。
（５）  請求項５の電子カメラは画像データを処理して各種サイズのファイルを生成し、記録媒体５に記録する電子カメラであって、チェックレベル設定手段１１は画像処理後のファイルサイズを考慮してバッテリー９のチェックレベルを設定するようにしたものである。
（６）  請求項６の発明は、撮像素子１により撮影した画像データを記録媒体５に記録する電子カメラに適用され、バッテリー電圧を検出するバッテリー電圧検出手段１０，１１と、バッテリー電圧検出値に応じて連写可能枚数を決定する連写可能枚数決定手段１１と、連写モードにおける連写枚数を連写可能枚数に制限する連写枚数制限手段１１とを備える。
（７）  請求項７の電子カメラは画像データを圧縮して記録媒体５に記録する電子カメラであって、連写可能枚数決定手段１１は画像データの圧縮率を考慮して連写可能枚数を決定するようにしたものである。
（８）  請求項８の電子カメラは画像データを処理して各種サイズのファイルを生成し、記録媒体５に記録する電子カメラであって、連写可能枚数決定手段１１は画像処理後のファイルサイズを考慮して連写可能枚数を決定するようにしたものである。
（９）  請求項９の発明は、撮像素子１から画像データを取り込んで記憶素子４に記憶し、記憶素子４に記憶されている画像データを記録媒体５に転送して記録する電子カメラに適用され、バッテリー電圧を検出するバッテリー電圧検出手段１０，１１と、記憶素子４に記憶されている画像データ量に応じてバッテリー９のチェックレベルを設定するチェックレベル設定手段１１と、記憶素子４から記録媒体５への画像データの転送完了前にレリーズされた場合に、バッテリー電圧検出値をチェックレベル設定値と比較して次駒の撮影可否を判断する撮影可否判断手段１１とを備える。
（１０） 請求項１０の発明は、被写体の像を撮影し画像データを出力する撮像素子と、複数の撮影モードの中から撮影モードを選択する撮影モード選択手段と、前記撮像素子から出力された前記画像データを記録媒体に記録する記録手段と、バッテリー電圧を検出するバッテリー電圧検出手段と、選択された前記撮影モードに応じて前記バッテリーのチェックレベルを設定するチェックレベル設定手段と、前記バッテリー電圧検出手段により検出された前記バッテリー電圧と前記チェックレベル設定手段により設定された前記チェックレベルとを比較して撮影可否を判断する撮影可否判断手段とを備える。
【手続補正４】
【補正対象書類名】明細書
【補正対象項目名】００２８
【補正方法】変更
【補正の内容】
【００２８】
図７に、設定画質モードと設定ファイルサイズをパラメータとした、連写枚数に対する連写モードのバッテリーチェックレベルＶth2を示す。
この実施の形態ではファインモードで且つフルファイルサイズで単写を行う場合のチェックレベルをＶth1としたので、ファインモードでフルファイルサイズの１枚の連写時のチェックレベルにＶth1を設定する。連写枚数Ｎが多くなればなるほど画像処理とデータ転送に時間がかかり電力消費量も多くなるので、連写枚数Ｎの増加に応じてバッテリーチェックレベルＶth2を増加し、より多くのバッテリー残量を確保する。また画質モードの圧縮率が小さいほど、さらにファイルサイズが大きいほど、画像処理とデータ転送に時間がかかり電力消費量が増加するので、圧縮率が小さくファイルサイズが大きいほどチェックレベルＶth2を高くする。図に示すように、最も圧縮率の大きいベーシックモードで、且つＶＧＡファイルサイズの場合は画像データ量が最も少なく、連写枚数Ｎに対するチェックレベルＶth2は最低となる。逆に、最も圧縮率の小さいファインモードで、且つフルファイルサイズの場合は画像データ量が最も多く、連写枚数Ｎに対するチェックレベルＶth2は最大となる。さらにその上、最大連写枚数もＮmaxより少なくなる。
【手続補正５】
【補正対象書類名】明細書
【補正対象項目名】００３５
【補正方法】変更
【補正の内容】
【００３５】
図９に、画質モードとファイルサイズをパラメーターとしたバッテリー電圧Ｖbに対する連写可能枚数Ｎ’を示す。
この実施の形態ではファインモードで且つフルファイルサイズで単写を行う場合のチェックレベルをＶth1としたので、バッテリー電圧Ｖbが単写モードのチェックレベルＶth1以上あればファインモードでフルファイルサイズの連写可能枚数Ｎ’は少なくとも１枚となる。バッテリー電圧Ｖbが高くなればなるほどバッテリー残量が多く、したがって連写可能枚数Ｎ’も多くなる。また画質モードの圧縮率が大きいほど、さらにファイルサイズが小さいほど、１枚当たりの電力消費量は少なくて済むので、ファインモードで且つフルファイルサイズの場合のバッテリー電圧Ｖbに対する連写可能枚数Ｎ’が最も少なく、ベーシックモードで且つＶＧＡサイズの場合のバッテリー電圧Ｖbに対する連写可能枚数Ｎ’が最も多い。